【手続補正書】
【提出日】令和3年11月24日(2021.11.24)
【手続補正１】
【補正対象書類名】特許請求の範囲
【補正対象項目名】全文
【補正方法】変更
【補正の内容】
【特許請求の範囲】
【請求項１】
第１の通信方式で、他の通信端末装置と通信を行う第１の通信部（１００）と、
前記第１の通信方式とは異なる第２の通信方式で、前記他の通信端末装置と通信を行う第２の通信部（１１０）と、
を有し、
前記第１の通信部は、前記第２の通信部が通信を開始する前に、前記第２の通信部が前記他の通信端末装置と通信を開始するために必要な接続情報を交換し、
前記第２の通信方式は、無線ＬＡＮ方式である、
通信端末装置（１０）。
【請求項２】
前記第１の通信方式は、前記第２の通信方式より通信可能な距離が長い、
請求項１記載の通信端末装置。
【請求項３】
前記無線ＬＡＮ方式は、ＩＥＥＥ８０２．１１の通信規格に準拠する無線通信方式である、
請求項１記載の通信端末装置。
【請求項４】
当該通信端末装置は、移動体に搭載されている、
請求項１記載の通信端末装置。
【請求項５】
当該通信端末装置は、固定物に搭載されている、
請求項１記載の通信端末装置。
【請求項６】
前記他の通信端末装置は、固定物に搭載されている、
請求項４記載の通信端末装置。
【請求項７】
前記他の通信端末装置は、移動体に搭載されている、
請求項４又は５記載の通信端末装置。
【請求項８】
前記接続情報は、認証情報である、
請求項１記載の通信端末装置。
【請求項９】
前記接続情報は、当該通信端末装置と前記他の通信端末装置のいずれがグループオーナーであるかを決定するための情報である、
請求項１記載の通信端末装置。
【請求項１０】
前記接続情報は、ＤＨＣＰ（Dynamic Host Configuration Protocol）で送受する情報である、
請求項１記載の通信端末装置。
【請求項１１】
前記第１の通信部と前記第２の通信部を制御する制御部（１４０）、を有し、
前記第２の通信部は、
前記第２の通信方式でデータの送受信を行う第２の送受信部（１１１）と、
前記第２の通信方式で通信を開始する際に、前記接続情報を用いて前記第２の通信方式での通信の接続情報処理を行う第２の接続情報処理部（１１２）と、を有し、
前記第１の通信部は、
前記第１の通信方式でデータの送受信を行う第１の送受信部（１０１）、を有し、
前記制御部が、前記第２の接続情報処理部に対し、前記第１の送受信部を介して前記接続情報を交換するよう指示することにより、前記第１の送受信部が前記接続情報を交換する、
請求項１記載の通信端末装置。
【請求項１２】
前記第１の通信部と前記第２の通信部を制御する制御部（１４０）、を有し、
前記第２の通信部は、
前記第２の通信方式でデータの送受信を行う第２の送受信部（１１１）と、
前記第２の通信方式で通信を開始する際に、前記接続情報を用いて前記第２の通信方式での通信の接続情報処理を行う第２の接続情報処理部（１１２）と、を有し、
前記第１の通信部は、
前記第１の通信方式でデータの送受信を行う第１の送受信部（１０１）、を有し、
前記制御部が、前記第２の接続情報処理部に代わり、前記第１の送受信部を制御することにより、前記第１の送受信部が前記接続情報を交換する、
請求項１記載の通信端末装置。
【請求項１３】
前記第２の通信方式で通信を行う前記他の通信端末装置を特定する通信先特定部（３４３）を有し、
前記第１の通信部は、前記他の通信端末装置の位置を示す位置情報及び前記他の通信端末装置のコンテンツの保有状況を示すコンテンツ情報を受信し、
前記通信先特定部は、
前記位置情報に基づいて、前記他の通信端末装置と前記第２の通信方式で接続可能か否かを検証する接続可能性検証部（３４４）と、
前記コンテンツ情報に基づいて、前記他の通信端末装置との接続が必要か否かを検証する接続必要性検証部（３４５）と、
を有する、
請求項１記載の通信端末装置。
【請求項１４】
前記接続可能性検証部は、さらに、当該通信端末装置の位置情報に基づいて、前記他の通信端末装置と前記第２の通信方式で接続可能か否かを検証する、
請求項１３記載の通信端末装置。
【請求項１５】
第１の通信方式で他の通信端末装置と通信を開始し（Ｓ１０１）、
前記第１の通信方式とは異なる第２の通信方式での通信を開始するために必要な接続情報を、前記第１の通信方式の通信で交換し（Ｓ１０２）、
前記接続情報を用いて接続情報処理を行い（Ｓ１０２）、前記第２の通信方式で前記他の通信端末装置と通信を開始する（Ｓ１０３、Ｓ１０４、Ｓ１０５）、
通信方法であって、
前記第２の通信方式は、無線ＬＡＮ方式である、
通信方法。
【請求項１６】
第１の通信方式で他の通信端末装置と通信を開始し（Ｓ１０１）、
前記第１の通信方式とは異なる第２の通信方式での通信を開始するために必要な接続情報を、前記第１の通信方式の通信で交換し（Ｓ１０２）、
前記接続情報を用いて接続情報処理を行い（Ｓ１０２）、前記第２の通信方式で前記他の通信端末装置と通信を開始する（Ｓ１０３、Ｓ１０４、Ｓ１０５）、
通信端末装置で実行される通信プログラムであって、
前記第２の通信方式は、無線ＬＡＮ方式である、
通信プログラム。
【請求項１７】
通信端末装置及び他の通信端末装置から、それぞれの装置の位置を示す位置情報、及びそれぞれの装置のコンテンツの保有状況を示すコンテンツ情報、を受信する受信部（５１０）と、
前記通信端末装置が第２の通信方式で通信を行う他の通信端末装置を特定する通信先特定部（５３１）と、
前記通信先特定部で特定した前記他の通信端末装置の通信先情報を、前記通信端末装置に送信する送信部（５４０）と、を有し、
前記通信先特定部は、
それぞれの前記位置情報に基づいて、前記通信端末装置が前記他の通信端末装置と前記第２の通信方式で接続可能か否かを検証する接続可能性検証部（５３２）と、
それぞれの前記コンテンツ情報に基づいて、前記通信端末装置が前記他の通信端末装置と接続が必要か否かを検証する接続必要性検証部（５３３）と、を有する、
通信管理サーバ装置（５０）であって、
前記通信端末装置は、
前記通信先情報を元に、第１の通信方式で、前記他の通信端末装置と通信を行う第１の通信部（１００）と、
前記第１の通信方式とは異なる前記第２の通信方式で、前記他の通信端末装置と通信を行う第２の通信部（１１０）と、を有し、
前記第１の通信部は、前記第２の通信部が通信を開始する前に、前記第２の通信部が前記他の通信端末装置と通信を開始するために必要な接続情報を交換し、
前記第２の通信方式は、無線ＬＡＮ方式である、
通信管理サーバ装置（５０）。
【請求項１８】
前記通信先特定部は、前記通信端末装置からの要求に応じ、前記通信端末装置が前記第２の通信方式で通信を行う前記他の通信端末装置を特定する、
請求項１７記載の通信管理サーバ装置。
【請求項１９】
通信端末装置及び他の通信端末装置から、それぞれの装置の位置を示す位置情報、及びそれぞれの装置のコンテンツの保有状況を示すコンテンツ情報、を受信し（Ｓ５０１）、
それぞれの前記位置情報に基づいて、前記通信端末装置が前記他の通信端末装置と第２の通信方式で接続可能か否かの検証である接続可能性検証を実行し（Ｓ５０３）、
それぞれの前記コンテンツ情報に基づいて、前記通信端末装置が前記他の通信端末装置と接続が必要か否かの検証である接続必要性検証を実行し（Ｓ５０４）、
前記接続可能性検証及び前記接続必要性検証の結果に基づき、前記通信端末装置が前記第２の通信方式で通信を行う他の通信端末装置を特定し（Ｓ５０５）、
特定した前記他の通信端末装置の通信先情報を、前記通信端末装置に送信する（Ｓ５０６）、
通信管理サーバ装置で実行する通信先選択方法であって、
前記通信端末装置は、
前記通信先情報を元に、第１の通信方式で前記他の通信端末装置と通信を開始し（Ｓ１０１）、
前記第１の通信方式とは異なる前記第２の通信方式での通信を開始するために必要な接続情報を、前記第１の通信方式の通信で交換し（Ｓ１０２）、
前記接続情報を用いて接続情報処理を行い（Ｓ１０２）、前記第２の通信方式で前記他の通信端末装置と通信を開始し（Ｓ１０３、Ｓ１０４、Ｓ１０５）、
前記第２の通信方式は、無線ＬＡＮ方式である、
通信先選択方法。
【請求項２０】
通信端末装置及び他の通信端末装置から、それぞれの装置の位置を示す位置情報、及びそれぞれの装置のコンテンツの保有状況を示すコンテンツ情報、を受信し（Ｓ５０１）、
それぞれの前記位置情報に基づいて、前記通信端末装置が前記他の通信端末装置と第２の通信方式で接続可能か否かの検証である接続可能性検証を実行し（Ｓ５０３）、
それぞれの前記コンテンツ情報に基づいて、前記通信端末装置が前記他の通信端末装置と接続が必要か否かの検証である接続必要性検証を実行し（Ｓ５０４）、
前記接続可能性検証及び前記接続必要性検証の結果に基づき、前記通信端末装置が前記第２の通信方式で通信を行う他の通信端末装置を特定し（Ｓ５０５）、
特定した前記他の通信端末装置の通信先情報を、前記通信端末装置に送信する（Ｓ５０６）、
通信管理サーバ装置で実行される通信先選択プログラムであって、
前記通信端末装置は、
前記通信先情報を元に、第１の通信方式で前記他の通信端末装置と通信を開始し（Ｓ１０１）、
前記第１の通信方式とは異なる前記第２の通信方式での通信を開始するために必要な接続情報を、前記第１の通信方式の通信で交換し（Ｓ１０２）、
前記接続情報を用いて接続情報処理を行い（Ｓ１０２）、前記第２の通信方式で前記他の通信端末装置と通信を開始し（Ｓ１０３、Ｓ１０４、Ｓ１０５）、
前記第２の通信方式は、無線ＬＡＮ方式である、
通信先選択プログラム。
【手続補正２】
【補正対象書類名】明細書
【補正対象項目名】００３７
【補正方法】変更
【補正の内容】
【００３７】
ここで本実施形態では、他の通信端末装置との接続情報の交換は、第２の送受信部１１１が行うのではなく、第１の通信部１００の第１の送受信部１０１が、第２の通信部１１０がデータ通信を開始する前に、第２の通信部１１０が他の通信端末装置と通信を開始するために必要な「接続情報」を「交換する」。具体的には、第２の送受信部１１１ではなく、第１の送受信部１０１が、第２の通信方式での通信に関しての認証要求と認証応答、接続要求と接続許可応答、そしてＩＰアドレス取得の要求と応答等の接続情報を交換する。接続情報の交換の方法の詳細に関しては、図６及び図７を用いて後述する。
【手続補正３】
【補正対象書類名】明細書
【補正対象項目名】００６５
【補正方法】変更
【補正の内容】
【００６５】
図７の接続情報の交換方法の第２の例については、図７（ａ）に示すように、制御部１４０が、第２の接続情報処理部１１２に代わり、第１の送受信部１０１を制御することにより、第１の送受信部１０１が接続情報を交換する。
具体的には、第２の通信制御部１４２が、第２の接続情報処理部１１２より、第２の通信方式よる通信に必要な情報、例えばＳＳＩＤやＭＡＣアドレスの情報や認証を行うためのデータを取得することで、代替処理制御を開始する（６０３）。
第１の通信制御部１４１は第２の接続情報処理部１１２より取得した情報を元に、第２の接続情報処理部１１２に代わって第１の送受信部１０１を制御することにより、第２の通信方式の通信で通信を開始するために必要な接続情報を送受信する（６０４）。
そして、これらの接続情報を元に、制御部１４０は、第２の接続情報処理部１１２に代わって、第２の通信方式の通信における認証等の接続情報処理を行う。
これらの接続情報処理が終了後、第２の通信制御部１４２は、接続情報処理の結果を第２の接続情報処理部１１２に送り、代替処理制御を終了する（６０５）。
【手続補正４】
【補正対象書類名】明細書
【補正対象項目名】００８４
【補正方法】変更
【補正の内容】
【００８４】
図９（Ｃ）は、図９（Ｂ）と同様に通信管理サーバ５０が通信を仲介するが、当該通信管理サーバ５０が、通信端末装置１０の位置情報及びコンテンツ情報、並びに他の通信端末装置の位置情報及びコンテンツ情報を取得し、これらの情報を用いて、通信端末装置１０の通信先となる他の通信端末装置を特定する。